【手続補正書】
【提出日】平成29年10月17日(2017.10.17)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレス通信ネットワークでの繰返し送信のためのデータを識別することと、
２つ以上の連続したサブフレームを備えたバンドル送信で前記データが送信されることを決定することと、ここにおいて、前記２つ以上の連続したサブフレームが、前記バンドル送信における前記データを備える、
前記２つ以上の連続したサブフレームのうちの少なくとも１つにおいて、前記決定に基づいて、基準信号の密度を増加させることと、
前記２つ以上の連続したサブフレームを備えた前記バンドル送信を送信することと
を備える、方法。
【請求項２】
基準信号の前記密度を増加させることが、
前記２つ以上の連続したサブフレームのうちの前記少なくとも１つに１つまたは複数の追加のパイロットトーンを挿入すること
を備える、請求項１に記載の方法。
【請求項３】
前記１つまたは複数の追加のパイロットトーンが、既存の従来の信号周辺でレートマッチングされる、請求項２に記載の方法。
【請求項４】
前記１つまたは複数の追加のパイロットトーンが、前記バンドル送信を送信するために使用される１つまたは複数のリソースブロック内に挿入される、請求項２に記載の方法。
【請求項５】
前記２つ以上の連続したサブフレームが、少なくとも１つのマルチメディアブロードキャストマルチキャストサービス単一周波数ネットワーク（ＭＢＳＦＮ）サブフレームと、少なくとも１つの非ＭＢＳＦＮサブフレームとを備える、請求項１に記載の方法。
【請求項６】
基準信号の前記密度を増加させることが、
前記ＭＢＳＦＮサブフレーム中に複数の復調基準信号（ＤＭＲＳ）トーンまたは共通基準信号（ＣＲＳ）トーンを送信すること
を備える、請求項５に記載の方法。
【請求項７】
基準信号の前記密度を増加させることが、
ＤＭＲＳ送信に使用されるリソースブロック内のすべての利用可能なＤＭＲＳリソースを利用してＤＭＲＳトーンを挿入すること
を備える、請求項１に記載の方法。
【請求項８】
基準信号の前記密度を増加させることが、
ＤＭＲＳ送信に使用されるリソースブロック内の利用可能なＤＭＲＳリソースのサブセットを利用してＤＭＲＳトーンを挿入することを備え、前記ＤＭＲＳトーンが、ＤＭＲＳトーンのための指定された電力に比べて増加した電力で送信される、
請求項１に記載の方法。
【請求項９】
基準信号の前記密度を増加させることが、
ＤＭＲＳ送信に使用されるリソースブロック内に追加のＤＭＲＳトーンを挿入すること  を備える、請求項１に記載の方法。
【請求項１０】
基準信号の前記密度を増加させることが、
複数の復調基準信号（ＤＭＲＳ）トーンまたは共通基準信号（ＣＲＳ）トーンを挿入することを備え、前記２つ以上の連続したサブフレームの第２のサブフレーム中に送信されるＤＭＲＳトーンまたはＣＲＳトーンの数が、前記２つ以上の連続したサブフレームの第１のサブフレーム中に送信されるいくつかのＤＭＲＳトーンまたはＣＲＳトーンよりも大きい、
請求項１に記載の方法。
【請求項１１】
物理ダウンリンク共有チャネル（ＰＤＳＣＨ）または物理ブロードキャストチャネル（ＰＢＣＨ）が、前記送信に使用される、請求項１に記載の方法。
【請求項１２】
前記ＰＢＣＨが前記送信に使用され、前記ＰＢＣＨ送信が、あらかじめ決定されたサブフレームを使用して送信される、請求項１１に記載の方法。
【請求項１３】
前記ＰＢＣＨ送信が、時分割複信（ＴＤＤ）プロトコルまたは周波数分割複信（ＦＤＤ）プロトコルに従って動作している前記ワイヤレス通信のシステムに基づいて決定された、異なるあらかじめ決定されたパターンを有する、請求項１２に記載の方法。
【請求項１４】
前記ワイヤレス通信のシステムが、時分割複信（ＴＤＤ）プロトコルに従って動作しているか、周波数分割複信（ＦＤＤ）プロトコルに従って動作しているかにかかわらず、前記あらかじめ決定されたサブフレームが、共通のあらかじめ決定されたパターンを有する、請求項１２に記載の方法。
【請求項１５】
前記ＰＢＣＨ送信は、少なくとも１つのブロードキャストサブフレームおよび少なくとも１つの非ブロードキャストサブフレームを使用して送信される、請求項１１に記載の方法。
【請求項１６】
前記少なくとも１つのブロードキャストサブフレームを使用するバンドルＰＢＣＨ送信のパターンが、前記少なくとも１つの非ブロードキャストサブフレームを使用するバンドルＰＢＣＨ送信のパターンとは異なる、請求項１５に記載の方法。
【請求項１７】
ワイヤレス通信の方法であって、
２つ以上の連続したサブフレームを備えたバンドルデータの繰返し送信でデータが送信されることを決定することと、
前記連続したサブフレームの１つに対してマルチメディアブロードキャストマルチキャストサービス（ＭＢＭＳ）送信がスケジュールされるかどうかを決定することと、
前記ＭＢＭＳ送信がスケジュールされることを決定することに少なくとも部分的に基づいて、２つ以上の連続したサブフレームを備えたバンドルデータの前記繰返し送信を変更することと、
２つ以上の連続したサブフレームを備えたバンドルデータの前記繰返し送信を送信することと
を備える、方法。
【請求項１８】
前記繰返し送信を変更することが、
前記ＭＢＭＳ送信のためにスケジュールされた前記サブフレームで前記データを送信することを控えること
を備える、請求項１７に記載の方法。
【請求項１９】
前記繰返し送信を変更することが、
前記ＭＢＭＳ送信のためにスケジュールされた前記サブフレーム中の基準信号の密度を増加させること
を備える、請求項１７に記載の方法。
【請求項２０】
前記繰返し送信を受信するようにスケジュールされたユーザ機器（ＵＥ）の第１のセットにＭＢＭＳスケジューリングを示す第１のシグナリングを送信することと、
前記ＭＢＭＳ送信を受信するようにスケジュールされたＵＥの第２のセットにＭＢＭＳスケジューリングを示す第２のシグナリングを送信することと
をさらに備える、請求項１７に記載の方法。
【請求項２１】
前記繰返し送信がバンドルユニキャスト送信を備える、請求項１７に記載の方法。
【請求項２２】
前記繰返し送信がバンドルブロードキャスト送信を備える、請求項１７に記載の方法。
【請求項２３】
ワイヤレス通信の装置であって、
プロセッサと、
前記プロセッサと電子通信しているメモリと、
前記メモリに記憶された命令と、
を備え、前記命令が、
ワイヤレス通信ネットワークでの繰返し送信のためのデータを識別することと、
２つ以上の連続したサブフレームを備えたバンドル送信で前記データが送信されることを決定することと、ここにおいて、前記２つ以上の連続したサブフレームは、前記バンドル送信における前記データを備える、
前記２つ以上の連続したサブフレームのうちの少なくとも１つにおいて、前記決定に基づいて、基準信号の密度を増加させることと、
前記２つ以上の連続したサブフレームを備えた前記バンドル送信を送信することと
を行うように前記プロセッサによって実行可能である、装置。
【請求項２４】
前記命令が、前記２つ以上の連続したサブフレームのうちの前記少なくとも１つに１つまたは複数の追加のパイロットトーンを挿入するように前記プロセッサによって実行可能である、請求項２３に記載の装置。
【請求項２５】
前記２つ以上の連続したサブフレームが、少なくとも１つのマルチメディアブロードキャストマルチキャストサービス単一周波数ネットワーク（ＭＢＳＦＮ）サブフレームと、少なくとも１つの非ＭＢＳＦＮサブフレームとを備える、請求項２３に記載の装置。
【請求項２６】
前記命令が、ＤＭＲＳ送信に使用されるリソースブロック内のすべての利用可能なＤＭＲＳリソースを利用してＤＭＲＳトーンを挿入するように前記プロセッサによって実行可能である、請求項２３に記載の装置。
【請求項２７】
前記命令が、複数の復調基準信号（ＤＭＲＳ）トーンまたは共通基準信号（ＣＲＳ）トーンを挿入するように前記プロセッサによって実行可能であり、前記２つ以上の連続したサブフレームの第２のサブフレーム中に送信されるＤＭＲＳトーンまたはＣＲＳトーンの数が、前記２つ以上の連続したサブフレームの第１のサブフレーム中に送信されるいくつかのＤＭＲＳトーンまたはＣＲＳトーンよりも大きい、請求項２３に記載の装置。
【請求項２８】
物理ダウンリンク共有チャネル（ＰＤＳＣＨ）または物理ブロードキャストチャネル（ＰＢＣＨ）が、前記送信に使用される、請求項２３に記載の装置。
【請求項２９】
ワイヤレス通信の装置であって、
プロセッサと、
前記プロセッサと電子通信しているメモリと、
前記メモリに記憶された命令と、
を備え、前記命令が、
２つ以上の連続したサブフレームを備えたバンドルデータの繰返し送信でデータが送信されることを決定することと、
前記連続したサブフレームの１つに対してマルチメディアブロードキャストマルチキャストサービス（ＭＢＭＳ）送信がスケジュールされるかどうかを決定することと、
前記ＭＢＭＳ送信がスケジュールされることを決定することに少なくとも部分的に基づいて２つ以上の連続したサブフレームを備えたバンドルデータの前記繰返し送信を変更することと、
２つ以上の連続したサブフレームを備えたバンドルデータの前記繰返し送信を送信することと
を行うように前記プロセッサによって実行可能である、装置。
【請求項３０】
前記命令が、
前記繰返し送信を受信するようにスケジュールされたユーザ機器（ＵＥ）の第１のセットにＭＢＭＳスケジューリングを示す第１のシグナリングを送信することと、
前記ＭＢＭＳ送信を受信するようにスケジュールされたＵＥの第２のセットにＭＢＭＳスケジューリングを示す第２のシグナリングを送信することと
を行うように前記プロセッサによって実行可能である、請求項２９に記載の装置。
【手続補正２】
【補正対象書類名】明細書
【補正対象項目名】０１０８
【補正方法】変更
【補正の内容】
【０１０８】
[0125]本開示の上述の説明は、当業者が本開示を作成または使用することができるように提供される。本開示への様々な修正は当業者には容易に明らかになり、本明細書で定義した一般原理は、本開示の趣旨または範囲から逸脱することなく他の変形形態に適用され得る。本開示全体にわたって、「例」または「例示的」という用語は、一例または一事例を示すものであり、言及された例への選好を暗示または要求しない。したがって、本開示は、本明細書で説明した例および設計に限定されるべきでなく、本明細書で開示した原理および新規の特徴に合致する最も広い範囲を与えられるべきである。
以下に、本願の出願当初の特許請求の範囲に記載された発明を付記する。
［Ｃ１］
ワイヤレス通信の方法であって、
ワイヤレス通信ネットワークで送信するためのデータを識別することと、
前記データが２つ以上のサブフレームを使用してバンドル送信で送信されることを決定することと、
前記２つ以上のサブフレームのうちの少なくとも１つにおいて基準信号の密度を増加させることと
を備える、方法。
［Ｃ２］
基準信号の前記密度を増加させることが、
前記少なくとも１つのサブフレームに１つまたは複数の追加のパイロットトーンを挿入すること
を備える、Ｃ１に記載の方法。
［Ｃ３］
前記１つまたは複数の追加のパイロットトーンが、既存の従来の信号周辺でレートマッチングされる、Ｃ２に記載の方法。
［Ｃ４］
前記１つまたは複数の追加のパイロットトーンが、前記バンドル送信を送信するために使用される１つまたは複数のリソースブロック内に挿入される、Ｃ２に記載の方法。
［Ｃ５］
前記２つ以上のサブフレームが、少なくとも１つのマルチメディアブロードキャストマルチキャストサービス単一周波数ネットワーク（ＭＢＳＦＮ）サブフレームと、少なくとも１つの非ＭＢＳＦＮサブフレームとを備える、Ｃ１に記載の方法。
［Ｃ６］
基準信号の前記密度を増加させることが、
前記ＭＢＳＦＮサブフレーム中に複数の復調基準信号（ＤＭＲＳ）トーンまたは共通基準信号（ＣＲＳ）トーンを送信すること
を備える、Ｃ５に記載の方法。
［Ｃ７］
基準信号の前記密度を増加させることが、
ＤＭＲＳ送信に使用されるリソースブロック内のすべての利用可能なＤＭＲＳリソースを利用してＤＭＲＳトーンを挿入すること
を備える、Ｃ１に記載の方法。
［Ｃ８］
基準信号の前記密度を増加させることが、
ＤＭＲＳ送信に使用されるリソースブロック内の利用可能なＤＭＲＳリソースのサブセットを利用してＤＭＲＳトーンを挿入することを備え、前記ＤＭＲＳトーンが、ＤＭＲＳトーンのための指定された電力に比べて増加した電力で送信される、
Ｃ１に記載の方法。
［Ｃ９］
基準信号の前記密度を増加させることが、
ＤＭＲＳ送信に使用されるリソースブロック内に追加のＤＭＲＳトーンを挿入することを備える、Ｃ１に記載の方法。
［Ｃ１０］
基準信号の前記密度を増加させることが、
複数の復調基準信号（ＤＭＲＳ）トーンまたは共通基準信号（ＣＲＳ）トーンを挿入することを備え、前記２つ以上のサブフレームの第２のサブフレーム中に送信されるＤＭＲＳトーンまたはＣＲＳトーンの数が、前記２つ以上のサブフレームの第１のサブフレーム中に送信されるいくつかのＤＭＲＳトーンまたはＣＲＳトーンよりも大きい、
Ｃ１に記載の方法。
［Ｃ１１］
物理ダウンリンク共有チャネル（ＰＤＳＣＨ）または物理ブロードキャストチャネル（ＰＢＣＨ）が、前記送信に使用される、Ｃ１に記載の方法。
［Ｃ１２］
前記ＰＢＣＨが前記送信に使用され、前記ＰＢＣＨ送信が、あらかじめ決定されたサブフレームを使用して送信される、Ｃ１１に記載の方法。
［Ｃ１３］
前記ＰＢＣＨ送信が、時分割複信（ＴＤＤ）プロトコルまたは周波数分割複信（ＦＤＤ）プロトコルに従って動作している前記ワイヤレス通信システムに基づいて決定された、異なるあらかじめ決定されたパターンを有する、Ｃ１２に記載の方法。
［Ｃ１４］
前記ワイヤレス通信システムが、時分割複信（ＴＤＤ）プロトコルに従って動作しているか、周波数分割複信（ＦＤＤ）プロトコルに従って動作しているかにかかわらず、前記あらかじめ決定されたサブフレームが、共通のあらかじめ決定されたパターンを有する、Ｃ１２に記載の方法。
［Ｃ１５］
前記ＰＢＣＨ送信は、少なくとも１つのブロードキャストサブフレームおよび少なくとも１つの非ブロードキャストサブフレームを使用して送信される、Ｃ１１に記載の方法。
［Ｃ１６］
前記少なくとも１つのブロードキャストサブフレームを使用するバンドルＰＢＣＨ送信のパターンが、少なくとも１つの非ブロードキャストサブフレームを使用するバンドルＰＢＣＨ送信のパターンとは異なる、Ｃ１５に記載の方法。
［Ｃ１７］
ワイヤレス通信の方法であって、
データが２つ以上のサブフレームを使用してバンドル送信で送信されることを決定することと、
前記サブフレームの１つに対してマルチメディアブロードキャストマルチキャストサービス（ＭＢＭＳ）送信がスケジュールされるかどうかを決定することと、
前記ＭＢＭＳ送信がスケジュールされることを決定することに少なくとも部分的に基づいて前記バンドル送信を変更することと
を備える、方法。
［Ｃ１８］
前記バンドル送信を変更することが、
前記ＭＢＭＳ送信のためにスケジュールされた前記サブフレームで前記データを送信することを控えること
を備える、Ｃ１７に記載の方法。
［Ｃ１９］
前記バンドル送信を変更することが、
前記ＭＢＭＳ送信のためにスケジュールされた前記サブフレーム中の基準信号の密度を増加させること
を備える、Ｃ１７に記載の方法。
［Ｃ２０］
前記バンドル送信を受信するようにスケジュールされたユーザ機器（ＵＥ）の第１のセットにＭＢＭＳスケジューリングを示す第１のシグナリングを送信することと、
前記ＭＢＭＳ送信を受信するようにスケジュールされたＵＥの第２のセットにＭＢＭＳスケジューリングを示す第２のシグナリングを送信することと
をさらに備える、Ｃ１７に記載の方法。
［Ｃ２１］
前記バンドル送信がバンドルユニキャスト送信を備える、Ｃ１７に記載の方法。
［Ｃ２２］
前記バンドル送信がバンドルブロードキャスト送信を備える、Ｃ１７に記載の方法。
［Ｃ２３］
ワイヤレス通信の装置であって、
ワイヤレス通信ネットワークで送信するためのデータを識別するための手段と、
前記データが２つ以上のサブフレームを使用してバンドル送信で送信されることを決定するための手段と、
前記２つ以上のサブフレームのうちの少なくとも１つにおいて基準信号の密度を増加させるための手段と
を備える、装置。
［Ｃ２４］
基準信号の前記密度を増加させるための前記手段が、
前記少なくとも１つのサブフレームに１つまたは複数の追加のパイロットトーンを挿入するための手段
を備える、Ｃ２３に記載の装置。
［Ｃ２５］
前記２つ以上のサブフレームが、少なくとも１つのマルチメディアブロードキャストマルチキャストサービス単一周波数ネットワーク（ＭＢＳＦＮ）サブフレームと、少なくとも１つの非ＭＢＳＦＮサブフレームとを備える、Ｃ２３に記載の装置。
［Ｃ２６］
基準信号の前記密度を増加させるための前記手段が、
ＤＭＲＳ送信に使用されるリソースブロック内のすべての利用可能なＤＭＲＳリソースを利用してＤＭＲＳトーンを挿入するための手段
を備える、Ｃ２３に記載の装置。
［Ｃ２７］
基準信号の前記密度を増加させるための前記手段が、
複数の復調基準信号（ＤＭＲＳ）トーンまたは共通基準信号（ＣＲＳ）トーンを挿入するための手段を備え、前記２つ以上のサブフレームの第２のサブフレーム中に送信されるＤＭＲＳトーンまたはＣＲＳトーンの数が、前記２つ以上のサブフレームの第１のサブフレーム中に送信されるいくつかのＤＭＲＳトーンまたはＣＲＳトーンよりも大きい、Ｃ２３に記載の装置。
［Ｃ２８］
物理ダウンリンク共有チャネル（ＰＤＳＣＨ）または物理ブロードキャストチャネル（ＰＢＣＨ）が、前記送信に使用される、Ｃ２３に記載の装置。
［Ｃ２９］
ワイヤレス通信の装置であって、
データが２つ以上のサブフレームを使用してバンドル送信で送信されることを決定するための手段と、
前記サブフレームの１つに対してマルチメディアブロードキャストマルチキャストサービス（ＭＢＭＳ）送信がスケジュールされるかどうかを決定するための手段と、
前記ＭＢＭＳ送信がスケジュールされることを決定することに少なくとも部分的に基づいて前記バンドル送信を変更するための手段と
を備える、装置。
［Ｃ３０］
前記バンドル送信を受信するようにスケジュールされたユーザ機器（ＵＥ）の第１のセットにＭＢＭＳスケジューリングを示す第１のシグナリングを送信するための手段と、
前記ＭＢＭＳ送信を受信するようにスケジュールされたＵＥの第２のセットにＭＢＭＳスケジューリングを示す第２のシグナリングを送信するための手段と
をさらに備える、Ｃ２９に記載の装置。